(57)【特許請求の範囲】
【請求項１】
支持架台を構成する鋼管材の上に、太陽電池モジュールを載せ受ける台座部材と、太陽電池モジュールの上縁部に係合して台座部材との間で太陽電池モジュールを締め付ける押さえ部材と、を介して太陽電池モジュールを固定する構造であって、
前記鋼管材は、管軸方向に所定間隔で整列し、管軸に対して直角に形成された複数のボルト孔を具備し、
前記台座部材と押さえ部材は、前記鋼管材の各ボルト孔に対応する位置に複数設けられ、
前記台座部材は、前記鋼管材のボルト孔に対応するボルト孔を有し上部に前記太陽電池モジュールを載せ受けるように前記鋼管材上に取り付けられる上部台座部材と、この上部台座部材と対向するように鋼管材の下に取り付けられる下部台座部材とを具備し、
前記押さえ部材は、前記鋼管材のボルト孔に対応するボルト孔と、前記太陽電池モジュールの上縁部に係合する係合片とを具備し、
前記上部台座部材は、中央に前記ボルト孔を有し上面に前記太陽電池モジュールを載せ受ける上板部と、この上板部における前記鋼管材の管軸方向の両端から屈曲して下方へ延びそれぞれ鋼管材の上半部に嵌合すると共に前記下部台座部材に弾性的に係合する対向一対の脚板部と、を具備し、
前記下部台座部材は、前記鋼管材の下面に当接する基板部と、この基板部における鋼管材の管軸方向の両端から屈曲して上方へ延びそれぞれ鋼管材の下半部に嵌合すると共に前記上部台座部材の脚板部に弾性的に係合する対向一対の係合板部と、下端において基板部に固着され上方へ垂直に延びるボルト部材と、を具備し、
前記ボルト部材は、前記鋼管材及び前記上部台座部材の各ボルト孔を貫通して前記太陽電池モジュールの端縁に沿って上方へ延び、上端部において前記押さえ部材のボルト孔を貫通し、螺合されるナットにより太陽電池モジュールを締め付けることを特徴とする太陽電池モジュールの固定構造。
【請求項２】
前記上部台座部材の脚板部は、それぞれ前記鋼管材の上半部に嵌合する凹部と、この凹部の両側に位置して前記下部台座部材に弾性的に係合する係合部と、この係合部の下端部に連続して下広がりに延びるガイド片と、を具備し、
前記下部台座部材の係合板部は、それぞれ前記鋼管材の下半部に嵌合する凹部と、この凹部の両側に位置して前記上部台座部材の係合部の内側面に弾性的に係合する係合部と、を具備することを特徴とする請求項１に記載の太陽電池モジュールの固定構造。
【請求項３】
前記上部台座部材の係合部と前記下部台座部材の係合部は、前記鋼管材への装着時に互いに係合するデテント係合部を具備することを特徴とする請求項２に記載の太陽電池モジュールの固定構造。
【発明の詳細な説明】
【技術分野】
【０００１】
本発明は、支持架台を構成する鋼管材の上に太陽電池モジュールを固定する構造に関する。
【背景技術】
【０００２】
従来、支持架台を構成する鋼管材５１の上に太陽電池モジュールＭを固定するための金具として、図９に示すように、いわゆるボルト付き単クランプ５２（非特許文献１）と、そのボルト５３にナット５４で締め付けられる押さえ部材５５（特許文献1）とからなるものが知られている。
【先行技術文献】
【特許文献】
【０００３】
【特許文献１】特開２０１２−１０７７２４（図１の「押さえ部材５」参照）
【非特許文献】
【０００４】
【非特許文献１】http://www.kunimoto-s.co.jp/digitalcatalog12/index_book.html?openpage=37
【発明の概要】
【発明が解決しようとする課題】
【０００５】
上記従来の太陽電池モジュールの固定金具は、クランプ５２の鋼管材５１への固定に際し、ボルト５３の鋼管材５１に対する管軸回りの起立角度を正確に所定角度に設定するのが困難で、太陽電池モジュールＭの固定作業に当たって、位置調整に手間取る難点がある。
したがって、本発明は、太陽電池モジュールの固定作業に当たって、固定用部材を容易かつ正確に位置設定することができる太陽電池モジュールの固定構造を提供することを目的としている。
【課題を解決するための手段】
【０００６】
以下、添付図面の符号を参照して説明するが、本発明はこれに限定されるものではない。
上記課題を解決するための、本発明の太陽電池モジュールの固定構造は、支持架台を構成する鋼管材１の上に、太陽電池モジュールＭを載せ受ける台座部材２と、太陽電池モジュールＭの上縁部に係合して台座部材２との間で太陽電池モジュールＭを締め付ける押さえ部材３とを介して太陽電池モジュールＭを固定する構造である。鋼管材１は、管軸方向に所定間隔で整列し、管軸に対して直角に形成された複数のボルト孔１ａを具備する。台座部材２と押さえ部材３は、鋼管材１の各ボルト孔１ａに対応する位置に複数設けられる。台座部材２は、上部台座部材２１と、下部台座部材２２とを具備する。上部台座部材２１は、鋼管材のボルト孔１ａに対応するボルト孔２１ｂを有し、鋼管材１上に取り付けられ、それの上部に太陽電池モジュールＭを載せ受ける。下部台座部材２２は、鋼管材１の下に、上部台座部材２１と対向するように取り付けられる。押さえ部材３は、鋼管材１のボルト孔１ａに対応するボルト孔３ｂと、太陽電池モジュールＭの上縁部に係合する係合片３ａとを具備する。上部台座部材２１は、上板部２１ａと脚板部２１ｃとを具備する。上板部２１ａは、中央にボルト孔２１ｂを有し、上面に太陽電池モジュールＭを載せ受ける。脚板部２１ｃは、上板部２１ａにおける鋼管材１の管軸方向の両端から屈曲して下方へ延び、それぞれ鋼管材１の上半部に嵌合すると共に、下部台座部材２２に弾性的に係合するように相対向して一対設けられる。下部台座部材２２は、鋼管材１の下面に当接する基板部２２ａと、対向一対の係合板部２２ｂと、基板部２２ａから垂直に延びるボルト部材２２ｃとを具備する。係合板部２２ｂは、基板部２２ａにおける鋼管材１の管軸方向の両端から屈曲して上方へ延び、それぞれ鋼管材１の下半部に嵌合すると共に、上部台座部材２１の脚板部２１ｃに弾性的に係合する。ボルト部材２２ｃは、下端において基板部２２ａに固着され、上方へ垂直に延びる。ボルト部材２２ｃは、鋼管材１及び上部台座部２１の各ボルト孔１ａ，２１ｂを貫通し、太陽電池モジュールＭの端縁に沿って上方へ延び、上端部において押さえ部材３のボルト孔３ｂを貫通し、それに螺合されるナット４により太陽電池モジュールＭを締め付ける。
【発明の効果】
【０００７】
本発明の太陽電池モジュールの固定構造によれば、太陽電池モジュールの固定作業に当たって、固定用部材を容易かつ正確に位置設定し、正確、迅速に太陽電池モジュールを支持架台上に固定することができる。
【図面の簡単な説明】
【０００８】
【図１】本発明に係る太陽電池モジュールの固定構造の斜視図である。
【図２】図１の太陽電池モジュールの固定構造の正面図である。
【図３】図１の太陽電池モジュールの固定構造の側面図である。
【図４】図１の太陽電池モジュールの固定構造における上部台座部材の正面図である。
【図５】図３の上部台座部材の平面図である。
【図６】図３の上部台座部材の側面図である。
【図７】図１の太陽電池モジュールの固定構造における下部台座部材の正面図である。
【図８】図７の下部台座部材の側面図である。
【図９】従来の太陽電池モジュールの固定構造の正面図である。
【発明を実施するための形態】
【０００９】
図面を参照して本発明の実施の形態を説明する。
太陽電池モジュールＭは、支持架台を構成する鋼管材１の上に、台座部材２と押さえ部材３とを介して固定される。台座部材２は、鋼管材１上に固定され、その上に太陽電池モジュールＭを載せ受ける。押さえ部材３は、太陽電池モジュールＭの上縁部に係合して台座部材２との間で太陽電池モジュールＭを締め付ける。
【００１０】
鋼管材１は、管軸方向に所定間隔で整列し、管軸に対して直角に形成された複数のボルト孔１ａを具備する。台座部材２と押さえ部材３は、鋼管材１の各ボルト孔１ａに対応する位置に複数設けられる。図面には、単一のボルト孔に対応する単一の台座部材２と押さえ部材３を示した。台座部材２は、上部台座部材２１と、下部台座部材２２とを具備する。
【００１１】
上部台座部材２１は、上板部２１ａと脚板部２１ｃとを具備する。上板部２１ａは、中央にボルト孔２１ｂを有し、上面に太陽電池モジュールＭを載せ受ける。
【００１２】
脚板部２１ｃは、上板部２１ａにおける鋼管材１の管軸方向の両端から直角に屈曲して下方へ延びるように一対設けられ、それぞれ鋼管材１の上半部に嵌合すると共に、下部台座部材２２に弾性的に係合するように相対向して一対設けられる。すなわち、脚板部２１ｃは、鋼管材１の上半部に嵌合する円弧状の凹部２１ｄと、下部台座部材２２に弾性的に係合する係合部２１ｅと、この係合部２１ｅの下端部に連続して下広がりに延びるガイド片２１ｆとを具備する。係合部２１ｅの内側面には、デテント突起２１ｇが形成される。
【００１３】
下部台座部材２２は、鋼管材１の下に、上部台座部材２１と対向するように取り付けられる。下部台座部材２２は、鋼管材１の下面に当接する基板部２２ａと、対向一対の係合板部２２ｂと、基板部２２ａから垂直に延びるボルト部材２２ｃとを具備する。
【００１４】
係合板部２２ｂは、基板部２２ａにおける鋼管材１の管軸方向の両端から直角に屈曲して上方へ延び、それぞれ鋼管材１の下半部に嵌合すると共に、上部台座部材２１の脚板部２１ｃに弾性的に係合する。係合板部２２ｂは、それぞれ鋼管材１の下半部に嵌合するほぼ円弧状の凹部２２ｄと、この凹部２２ｄの両側に位置して上部台座部材２１の係合部２１ｅの内側面に弾性的に係合する係合部２２ｅとを具備する。係合部２２ｅには、上部台座部材２１のデテント突起２１ｇに係合するデテント孔２２ｆが形成される。
【００１５】
押さえ部材３は、鋼管材１のボルト孔１ａに対応するボルト孔３ｂと、太陽電池モジュールＭの上縁部に係合する係合片３ａとを具備する。図示の押さえ部材３は、相隣接する２つの太陽電池モジュールＭ間にあって、一対の係合片３ａで両太陽電池モジュールＭを同時に押さえるものであるが、太陽電池モジュールＭの配列の端部に配置される場合には、最端部の単一の太陽電池モジュールＭのみに係合する形態をとり得る。
【００１６】
太陽電池モジュールＭの取り付けに当たっては、予め設置されている支持架台の鋼管材１に、最初に台座部材２を装着する。まず、一方の手で下部台座部材２２を持って、鋼管材１の下方から、下部台座部材２２のボルト部材２２ｃをボルト孔１ａに挿通し、鋼管材１の上方へ突出させる。この状態で保持したまま、他方の手で持った上部台座部材２１を上方から下部台座部材２２に向かい合わせ、それのボルト孔２１ｂにボルト部材２２ｃを挿通させつつ、押し下げて、係合部２１ｅを係合部２２ｅに係合させる。係合時には、下部台座部材２２の係合部２２ｅの上端部がガイド片２１ｆの内側面を摺動しつつ、これを押し広げ、デテント孔２２ｆにデテント突起２１ｇが落ち込んだ位置で、上部台座部材２１と下部台座部材２２とが鋼管材１を挟んだ状態で係合保持される。台座部材２は、ボルト部材２２ｃが鋼管材１と上部台座部材２１を貫通することで、固定位置が容易に規定される。このようにして、鋼管材１上に整列するように所定の数の台座部材２を装着した後、縁部がボルト部材２２ｃに沿うように太陽電池モジュールＭを持ち来し、上部台座部材２１の上板部２１ａ上に載置する。次いで、ボルト孔３ｂにボルト部材２２ｃを挿通させつつ、押さえ部材３を太陽電池モジュールＭの縁部上に置き、相隣接する太陽電池モジュールＭの間隔を調整した後、ナット４をボルト部材２２ｃに螺合させ、押さえ部材３を太陽電池モジュールＭ上に締め付けることで、太陽電池モジュールＭの固定作業が完了する。
【符号の説明】
【００１７】
１      鋼管材
１ａ  ボルト孔
２    台座部材
２１  上部台座部材
２１ａ  上板部
２１ｂ  ボルト孔
２１ｃ  脚板部
２１ｄ  凹部
２１ｅ  係合部
２１ｆ  ガイド片
２１ｇ  デテント突起
２２  下部台座部材
２２ａ  基板部
２２ｂ  係合板部
２２ｃ  ボルト部材
２２ｄ  凹部
２２ｅ  係合部
２２ｆ  デテント孔
３    押さえ部材
３ａ  係合片
３ｂ  ボルト孔
４    ナット
Ｍ    太陽電池モジュール
【要約】
【課題】太陽電池モジュールの固定作業に当たって、固定用部材を容易かつ正確に位置設定することができる太陽電池モジュールの固定構造を提供する。
【解決手段】支持架台を構成する鋼管材１の上に、太陽電池モジュールＭを載せ受ける台座部材２と、これを押さえる押さえ部材３とを介して太陽電池モジュールＭを固定する。台座部材２を構成する上下台座部材２１，２２は、鋼管材１を上下に挟んで互いに係合保持される。下部台座部材２２のボルト部材２２ｃは、鋼管材１と上部台座部材２１を貫通して上方へ延出する。太陽電池モジュールＭの縁部上に係合するように、押さえ部材３が、ボルト部材２２ｃの上端部に装着される。押さえ部材３は、ボルト部材２２ｃに螺合されるナット５により太陽電池モジュールＭを締め付ける。
【選択図】図１【図１】
0005613305.tif 000002
【図２】
0005613305.tif 000003
【図３】
0005613305.tif 000004
【図４】
0005613305.tif 000005
【図５】
0005613305.tif 000006
【図６】
0005613305.tif 000007
【図７】
0005613305.tif 000008
【図８】
0005613305.tif 000009
【図９】
0005613305.tif 000010